(57)【要約】 【課題】本発明は曲げ容易でかつ支点間で自重による垂れ下りのない二層コルゲート管を提供することを課題とする。【解決手段】コルゲート形状の外管１３と、該外管１３の内側に配置され平滑な筒状内面を有する内管１４とからなり、該外管１３は高密度ポリエチレンを材料とし、該内管１４は直鎖状低密度ポリエチレンと動的架橋オレフィン系エラストマーとの混合物を材料とする二層コルゲート管１０を提供する。通常該高密度ポリエチレンの密度は０．９４１〜０．９７０であり、該直鎖状低密度ポリエチレンの密度は０．９３０〜０．９４０であり、該直鎖状低密度ポリエチレン９９〜７５質量部に対して該動的架橋オレフィン系エラストマーは１〜２５質量部混合される。【選択図】    図３
2005233373.tif 000002
【特許請求の範囲】
【請求項１】
コルゲート形状の外管と、該外管の内側に配置され平滑な筒状内面を有する内管とからなり、該外管は高密度ポリエチレンを材料とし、該内管は直鎖状低密度ポリエチレンと動的架橋オレフィン系エラストマーとの混合物を材料とすることを特徴とする二層コルゲート管。
【請求項２】
該高密度ポリエチレンの密度は０．９４１〜０．９７０であり、該直鎖状低密度ポリエチレンの密度は０．９３０〜０．９４０であり、該直鎖状低密度ポリエチレン９９〜７５質量部に対して該動的架橋オレフィン系エラストマーは１〜２５質量部混合される請求項１に記載の二層コルゲート管。
【請求項３】
上記内管材料１００質量部に対して滑剤が１．０質量部以下添加される請求項１または２に記載の二層コルゲート管。
【発明の詳細な説明】
【技術分野】
【０００１】
本発明は例えば家屋内排水設備の排水管として使用される二層コルゲート管に関するものである。
【背景技術】
【０００２】
〔発明の背景〕
例えば図１に示すように台所、浴室、便所等の排水設備(1) より集水ます(2) まで排水を導くために、建物の床下において排水管(10)が使用される。該排水管(10)には図２に示すように山部(11)と谷部(12)とを交互に配列したコルゲート管が使用され、該コルゲート管(10)は可撓性を有するから、図１に示すように曲線配管が可能である。また該コルゲート管(10)は所定間隔毎に支台(3) によって支持されている。
上記コルゲート管(10)は図３に示すようにコルゲート形状の外管(13)と、平滑な筒状内面を有する内管(14)とからなる二層コルゲート管(10)とされ、コルゲート形状であっても内面を平滑にされて排水が円滑に流れるようにされている。該二層コルゲート管は通常押出し成形によって製造される。
上記コルゲート管(10)は家屋内排水設備の排水管として使用する場合、一般に３００mmＲで曲げることが可能でなければならない。また該コルゲート管(10)は一般に１ｍ毎に支台(3) によって支持されているので、支台間で自重による垂れ下りがないことが要求される。もしコルゲート管が支台間で垂れ下ると、垂れ下った部分に排水が溜り、円滑な排水の流動が妨げられる。コルゲート管(10)の垂れ下りは特に図４に示す傾斜配管の場合に顕著になる。
【０００３】
〔従来の技術〕
従来はこの種の排水管に使用する二層コルゲート管として、外管を高密度ポリエチレン、内管を一般の分岐型低密度ポリエチレンかポリオレフィン系エラストマーを材料としたものが提供されている。（例えば特許文献１〜３参照）。
【０００４】
【特許文献１】特開昭６２−９３５８５号公報
【特許文献２】特開平３−２８８０８５号公報
【特許文献３】特許第２７１１４７０号公報  上記構成では高剛性の外管で自重による垂れ下りを防止し、軟質な内管で曲線配管を容易にしている。
【発明の開示】
【発明が解決しようとする課題】
【０００５】
内管材料として分岐型低密度ポリエチレンを使用すると、可撓性が不足し、３００mmＲの曲げが困難になる。
またポリオレフィン系エラストマーを使用した場合には押出加工性が劣るために特殊な成形機が必要であり、また引裂強度に劣るので、下水導用点検器具を挿入したり、フォーク、ナイフ等の食器が落ち込んだりすると、内管が破れるおそれがある。これを防止するためには内管の肉厚を増大しなければならない。二層コルゲート管(10)の呼び径が５０mmである場合には、経済性を考慮して内管肉厚は約１mmに設定される。
更にポリオレフィン系エラストマーを使用した場合には、内管内面に微細な凹凸が形成され、排水の円滑な流動が阻害されると云う問題点がある。
【課題を解決するための手段】
【０００６】
本発明は上記従来の課題を解決するための手段として、コルゲート形状の外管(13)と、該外管(13)の内側に配置され平滑な筒状内面を有する内管(14)とからなり、該外管(13)は高密度ポリエチレンを材料とし、該内管(14)は直鎖状低密度ポリエチレンと動的架橋オレフィン系エラストマーとの混合物を材料とする二層コルゲート管(10)を提供するものである。該高密度ポリエチレンの密度は０．９４１〜０．９７０であり、該直鎖状低密度ポリエチレンの密度は０．９３０〜０．９４０であり、該直鎖状低密度ポリエチレン９９〜７５質量部に対して該動的架橋オレフィン系エラストマーは１〜２５質量部混合されることが望ましく、また所望なれば上記内管材料１００質量部に対して滑剤が１．０質量部以下添加されること望ましい。
【発明の効果】
【０００７】
本発明の二層コルゲート管は、３００mmＲ程度の曲率では容易に曲げることが出来、しかも剛性に優れているから、１ｍ程度の間隔で支持した場合、若干の傾斜があっても、自重で垂れ下がらない。
【発明を実施するための最良の形態】
【０００８】
以下に本発明を詳細に説明する。
本発明の二層コルゲート管(10)は山部(11)と谷部(12)とが交互に配列されているコルゲート形状の外管(13)と、平滑な筒状内面を有する内管(14)とからなり、押出し成形によって製造され、該内管(14)は該外管(13)の内側に融着している。
該二層コルゲート管(10)としては、通常、呼び径が５０mm、７５mm、１００mmのコルゲート管が使用される。呼び径が５０mmの二層コルゲート管(10)の谷径Ｄ1 は５２．６mm、山径Ｄ2 は６０．１mm、管内径Ｄ3 は４８．３mmであり、外管(13)の肉厚ｄ1 は１．０〜２．０mm、内管(14)の肉厚ｄ2 は０．５〜１．５mmである。
【０００９】
該二層コルゲート管(10)の外管(13)の材料は密度０．９４１〜０．９７０の高密度ポリエチレン、内管(14)の材料は密度０．９３０〜０．９４０の直鎖状低密度ポリエチレン９９〜７５質量部、動的架橋オレフィン系エラストマー１〜２５質量部、および所望なれば１．０質量部以下の滑剤との混合物である。
上記直鎖状低密度ポリエチレンとはエチレン−α- オレフィン共重合体であり、上記動的架橋オレフィン系エラストマーとは、動的加硫で高度に架橋したエチレン−α- オレフィン共重合体小粒をポリオレフィン中に分散させたものであり、α- オレフィンとしては通常プロピレンが選択され、したがって上記エチレン−α- オレフィン共重合体は通常エチレン−プロピレン共重合体（ＥＰＤＭ）であり、該架橋エチレン−α- オレフィン共重合体は主として硫黄、酸化亜鉛、過酸化物等によって架橋されている。
【００１０】
上記滑剤としては、例えば炭化水素系、高級脂肪酸系、高級脂肪酸アミド系、高級脂肪酸エステル系、高級アルコール系、高級脂肪酸金属塩系、および上記滑剤の混合物系、シリコン系、鉱物油系等がある。
【００１１】
上記内管材料にあっては、直鎖状低密度ポリエチレンは剛性、内面平滑性を向上せしめる要素であり、これら特性は滑剤によって更に改良され、動的架橋オレフィン系エラストマーは曲げ容易性を向上せしめる要素であるが、該架橋エチレン−α- オレフィン共重合体は小粒としてポリオレフィン中に分散しているので、押出加工性を阻害せず、しかも該架橋エチレン−α- オレフィン共重合体は内管に耐油性を与える。
【００１２】
上記二層コルゲート管の物性を試験したテスト方法を下記に記載する。
(1) 直線性、平滑性    １ｍ間隔で支持した可撓管をθ＝５°勾配で配管し、内層に汚                        水だまりが生じないことを確認する。
(2) 曲げ性能          ３００mmＲで曲げて、内層の平滑性の良いことを確認する。
(3) 成形性            内層の平滑性を確認する。上記二層コルゲート管(10)成形時の                        押出速度３ｍ／min 以上で、内層の破れがないこと。
(4) 引裂性            内層材料をＪＩＳ  Ｋ６２６５「加硫ゴムの引裂試験方法」（                        (C) 切込み無しアングル形) にて試験測定し、５０ｋＮ／ｍ以                        上のこと。
テスト結果を表１に示す。                                                        
【００１３】
【表１】
2005233373.tif 000003
【００１４】
表１によれば、本発明は各性能共に満足する結果を得たが、比較品１は曲げ性能が劣り、比較品２は直線性、平滑性、成形性、引裂性が劣る。
【産業上の利用可能性】
【００１５】
本発明の二層コルゲート管は、家屋内の各排水設備から集水ますに排水を導く排水管等に有用である。
【図面の簡単な説明】
【００１６】
【図１】家屋内排水システム説明図
【図２】コルゲート管部分側面図
【図３】二層コルゲート管部分側断面図
【図４】傾斜配管の説明図
【図５】二層コルゲート管拡大側断面図
【符号の説明】
【００１７】
1          排水設備
2          集水ます
3          支台
10          二層コルゲート管
11          山部
12          谷部
13          外管
14          内管
【図１】
2005233373.tif 000004
【図２】
2005233373.tif 000005
【図３】
2005233373.tif 000006
【図４】
2005233373.tif 000007
【図５】
2005233373.tif 000008